(57)【要約】【課題】壁高欄の位置合わせを行うことができ、且つ交通規制期間を短縮できるプレキャスト壁高欄の接合構造及び接合方法を提供する。【解決手段】プレキャスト壁高欄部材１の接合構造は、受容孔１６が形成されたプレキャスト床版３と、コンクリート部分６及びコンクリート部分６の下端から下方に突出する縦方向定着筋９を有するプレキャスト壁高欄部材１と、床版２又は地覆４に取り付けられ、縦方向定着筋９が受容孔１６に突入し且つコンクリート部分６が床版２又は地覆４との間に隙間Ｇを形成した状態でプレキャスト壁高欄部材１を支持する支持装置２０とを備え、支持装置２０がプレキャスト壁高欄部材１の床版２又は地覆４に対する位置を調整可能な位置調整機構２５を有する。プレキャスト床版３の架設前にプレキャスト壁高欄部材１をプレキャスト床版３に仮固定することで、プレキャスト床版３の架設から交通開放までに要する時間が短縮される。【選択図】図１
2020176406.tif 000002
【特許請求の範囲】
【請求項１】
プレキャスト壁高欄の接合構造であって、
床版又は前記床版に設けられた地覆の上面から下方に向かう受容孔が形成されたプレキャスト床版と、
コンクリート部分及び前記コンクリート部分の下端から下方に突出する縦方向定着筋を有するプレキャスト壁高欄部材と、
前記床版又は前記地覆に取り付けられ、前記縦方向定着筋が前記受容孔に突入し且つ前記コンクリート部分が前記床版又は前記地覆との間に隙間を形成した状態で前記プレキャスト壁高欄部材を前記プレキャスト床版上に支持する支持装置とを備え、
前記支持装置が前記プレキャスト壁高欄部材の前記プレキャスト床版に対する位置を調整可能な位置調整機構を有していることを特徴とするプレキャスト壁高欄の接合構造。
【請求項２】
前記位置調整機構が、前記プレキャスト壁高欄部材の橋幅方向の位置、前記プレキャスト壁高欄部材の橋軸に平行な軸線回りの倒れ及び、前記プレキャスト壁高欄部材の橋軸に沿う通りの少なくとも１つを調整可能に構成されていることを特徴とする請求項１に記載のプレキャスト壁高欄の接合構造。
【請求項３】
前記受容孔及び前記隙間に配置される未硬化の熱硬化性の樹脂材を加熱する加熱手段を更に備えることを特徴とする請求項１又は請求項２に記載のプレキャスト壁高欄の接合構造。
【請求項４】
前記加熱手段が、前記縦方向定着筋に接触する鉄筋と、前記鉄筋に電流を流すことで前記鉄筋及び前記縦方向定着筋を発熱させる電源とを含むことを特徴とする請求項３に記載のプレキャスト壁高欄の接合構造。
【請求項５】
前記加熱手段が、前記縦方向定着筋及び前記隙間に沿って配設された電熱線と、前記電熱線に電流を流すことで前記電熱線を発熱させる電源とを含むことを特徴とする請求項３に記載のプレキャスト壁高欄の接合構造。
【請求項６】
プレキャスト壁高欄の接合方法であって、
コンクリート部分及び前記コンクリート部分の下端から下方に突出する縦方向定着筋を有するプレキャスト壁高欄部材を用意するステップと、
床版又は前記床版に設けられた地覆の上面から下方に向かう受容孔が形成されたプレキャスト床版を用意するステップと、
前記縦方向定着筋が前記受容孔に突入するように、前記プレキャスト壁高欄部材を前記床版又は前記地覆上に隙間を空けて配置し、前記床版又は前記地覆に取り付けた支持装置を用いて、前記プレキャスト壁高欄部材を前記プレキャスト床版上に仮固定する仮固定ステップと、
前記プレキャスト壁高欄部材が仮固定された前記プレキャスト床版を所定位置に架設する床版架設ステップと、
前記所定位置において、前記支持装置に設けられた位置調整機構を操作して、仮固定された前記プレキャスト壁高欄部材の前記プレキャスト床版に対する位置を調整する位置調整ステップと、
位置調整済みの前記プレキャスト壁高欄部材を前記プレキャスト床版に対して固定する本固定ステップとを備えることを特徴とするプレキャスト壁高欄の接合方法。
【請求項７】
前記位置調整ステップでは、前記プレキャスト壁高欄部材の橋幅方向の位置、前記プレキャスト壁高欄部材の橋軸に平行な軸線回りの倒れ及び、前記プレキャスト壁高欄部材の橋軸に沿う通りの少なくとも１つを調整することを特徴とする請求項６に記載のプレキャスト壁高欄の接合方法。
【請求項８】
前記受容孔に充填され且つ前記コンクリート部分が接触するように、前記床版又は前記地覆の上面の高欄接合部分に未硬化の熱硬化性の樹脂材を配置する樹脂配置ステップを更に備え、
前記本固定ステップでは、加熱手段によって前記樹脂材を加熱して前記樹脂材を硬化させることで、位置調整済みの前記プレキャスト壁高欄部材を前記プレキャスト床版に対して固定し、
前記樹脂配置ステップを前記床版架設ステップの前に行うことを特徴とする請求項６又は請求項７に記載のプレキャスト壁高欄の接合方法。
【請求項９】
前記本固定ステップでは、前記縦方向定着筋に接触する鉄筋に電流を流すことで前記鉄筋及び前記縦方向定着筋を発熱させることを特徴とする請求項８に記載のプレキャスト壁高欄の接合方法。
【請求項１０】
前記本固定ステップでは、前記縦方向定着筋及び前記隙間に沿って配設しておいた電熱線に電流を流すことで前記電熱線を発熱させることを特徴とする請求項８に記載のプレキャスト壁高欄の接合方法。
【発明の詳細な説明】
【技術分野】
【０００１】
本開示は、橋梁の床版に接合されるプレキャスト壁高欄の接合構造及び接合方法に関する。
【背景技術】
【０００２】
橋梁では通常、床版の幅方向（橋面に平行且つ橋軸に直交する方向）の両端部に壁高欄が設けられる。近年では、工期の短縮等を目的として、壁高欄を予めプレキャストコンクリートで製作しておき、プレキャスト床版の架設後にプレキャスト壁高欄を床版上に配置して床版に接合する工法が採用されている。このようなプレキャスト床版とプレキャスト壁高欄との接合構造として、接合部にループ状の配筋を設けておき、壁高欄の高さ調整後に無収縮モルタルを充填して一体化する構造（ＤＡＫ式壁高欄）が公知である。また、地覆部及び隣接する壁高欄との接合部に、鉄筋先端部を鍛造により円錐台形状に加工した鉄筋を用いて無収縮モルタルで定着させる接合構造（Ｔｒｕｎｃ−ｈｅａｄ工法式壁高欄）が公知である（特許文献１参照）。
【０００３】
また、壁高欄の接合強度を増強するために、アンカー鉄筋の定着部や連続繊維補強材の定着部、プレキャスト部材の接合面間に接着樹脂としてのエポキシ樹脂や樹脂モルタルが充填されるもの（特許文献２、３）が公知である。
【先行技術文献】
【特許文献】
【０００４】
【特許文献１】特開２０１８−１４１３４１号公報
【特許文献２】特開２０１８−１１２００９号公報
【特許文献３】特開２０１８−１９３７０９号公報
【発明の概要】
【発明が解決しようとする課題】
【０００５】
接合部に無収縮モルタルを用いる工法では、モルタルが一定の強度を発現するまで養生する必要があり、交通規制期間が長くなる。また無収縮モルタル部から塩化物等の劣化因子が浸入する可能性もあり、耐久性上の弱点となる。一方、接合部にエポキシ樹脂や樹脂モルタルを用いることにより、養生が数時間で完了するため交通規制期間の短縮や耐久性の向上が可能である。
【０００６】
しかしながら、プレキャスト床版の架設後に床版上で高欄の配置作業及び固定作業を行うと、所定位置に架設されたプレキャスト床版上で行う作業が多く、プレキャスト床版の架設から交通開放までに要する時間を短縮することはできない。プレキャスト床版を架設する前にプレキャスト壁高欄をプレキャスト床版に接合しておくことでプレキャスト床版の架設から交通開放までの時間を短縮することは可能であるが、この場合はプレキャスト床版の架設後に壁高欄の位置合わせを行うことができない。
【０００７】
本発明は、このような背景に鑑み、壁高欄の位置合わせを行うことができ、且つ交通規制期間を短縮できるプレキャスト壁高欄の接合構造及び接合方法を提供することを課題とする。
【課題を解決するための手段】
【０００８】
このような課題を解決するために、本発明のある実施形態は、プレキャスト壁高欄の接合構造であって、床版（２）又は前記床版に設けられた地覆（４）の上面から下方に向かう受容孔（１６）が形成されたプレキャスト床版（３）と、コンクリート部分（６）及び前記コンクリート部分の下端から下方に突出する縦方向定着筋（９）を有するプレキャスト壁高欄部材（１）と、前記床版又は前記地覆に取り付けられ、前記縦方向定着筋が前記受容孔に突入し且つ前記コンクリート部分が前記床版又は前記地覆との間に隙間（Ｇ）を形成した状態で前記プレキャスト壁高欄部材を支持する支持装置（２０）とを備え、前記支持装置が前記プレキャスト壁高欄部材の前記プレキャスト床版に対する位置を調整可能な位置調整機構（２５）を有している。
【０００９】
この構成によれば、プレキャスト床版を所定位置に架設する前に、支持装置によってプレキャスト壁高欄部材をプレキャスト床版に仮固定することができる。これにより、所定位置に架設されたプレキャスト床版上で行う作業が少なくなるため、プレキャスト床版の架設から交通開放までに要する時間を短縮することができる。また、プレキャスト床版を所定位置に架設した後に、位置調整機構によってプレキャスト壁高欄部材の位置合わせを行うことができる。
【００１０】
上記構成において、前記位置調整機構（２５）が、前記プレキャスト壁高欄部材（１）の橋幅方向の位置、前記プレキャスト壁高欄部材の橋軸に平行な軸線回りの倒れ及び、前記プレキャスト壁高欄部材の橋軸に沿う通りの少なくとも１つを調整可能に構成されているとよい。
【００１１】
この構成によれば、プレキャスト床版を所定位置に架設した後に、プレキャスト壁高欄部材を適正な位置（橋幅方向の位置、倒れ又は通り）に合わせることができる。
【００１２】
上記構成において、プレキャスト壁高欄の接合構造は、前記受容孔（１６）及び前記隙間（Ｇ）に配置される未硬化の熱硬化性の樹脂材（１７）を加熱する加熱手段（８Ｂ、３４、４１）を更に備えるとよい。ここで樹脂材とは、樹脂に骨材や繊維補強材等を混入した樹脂モルタルを含む。
【００１３】
この構成によれば、プレキャスト床版の架設前に未硬化の熱硬化性の樹脂材を受容孔及び隙間に配置しておくことができ、架設されたプレキャスト床版上で行う作業がより少なくなるため、プレキャスト床版の架設から交通開放までに要する時間を一層短縮することができる。なお、プレキャスト床版の架設前に樹脂材が配置されていても、樹脂材が未硬化である限り、プレキャスト床版の架設後にプレキャスト壁高欄部材の位置を調整することは可能である。また、樹脂材は加熱されるまで硬化しないため、一度に広い範囲を施工することができる。更に、加熱手段によって樹脂材を加熱することで樹脂材を硬化させることができるため、セメント系の結合材を用いる場合に比べて養生が短時間で済み、交通規制期間の更なる短縮が可能である。
【００１４】
上記構成において、前記加熱手段が、前記縦方向定着筋に接触する鉄筋（８Ｂ）と、前記鉄筋に電流を流すことで前記鉄筋及び前記縦方向定着筋を発熱させる電源（３４）とを含むとよい。
【００１５】
この構成によれば、鉄筋を利用して樹脂材を加熱することができるため、加熱手段の構成が簡単である。
【００１６】
上記構成において、前記加熱手段が、前記縦方向定着筋（９）及び前記隙間（Ｇ）に沿って配設された電熱線（４１）と、前記電熱線に電流を流すことで前記電熱線を発熱させる電源（３４）とを含むとよい。
【００１７】
この構成によれば、受容孔及び隙間に配置された樹脂材を電熱線によって確実に加熱することができる。
【００１８】
また、上記課題を解決するために、本発明のある実施形態は、プレキャスト壁高欄の接合方法であって、コンクリート部分（６）及び前記コンクリート部分の下端から下方に突出する縦方向定着筋（９）を有するプレキャスト壁高欄部材（１）を用意するステップと、床版（２）又は前記床版に設けられた地覆（４）の上面から下方に向かう受容孔（１６）が形成されたプレキャスト床版（３）を用意するステップと、前記縦方向定着筋が前記受容孔に突入するように、前記プレキャスト壁高欄部材を前記床版又は前記地覆上に隙間（Ｇ）を空けて配置し、前記床版又は前記地覆に取り付けた支持装置（２０）を用いて前記プレキャスト壁高欄部材を前記プレキャスト床版上に仮固定する仮固定ステップと、前記プレキャスト壁高欄部材が仮固定された前記プレキャスト床版を所定位置に架設する床版架設ステップと、前記所定位置において、前記支持装置に設けられた位置調整機構（２５）を操作して、仮固定された前記プレキャスト壁高欄部材の前記プレキャスト床版に対する位置を調整する位置調整ステップと、位置調整済みの前記プレキャスト壁高欄部材を前記プレキャスト床版に対して固定する本固定ステップとを備える。
【００１９】
この構成によれば、プレキャスト床版を所定位置に架設する前に、プレキャスト壁高欄部材をプレキャスト床版上に仮固定するため、所定位置に架設されたプレキャスト床版上で行う作業が少なくなる。これにより、プレキャスト床版の架設から交通開放までに要する時間を短縮することができる。また、プレキャスト床版を所定位置に架設した後に、位置調整機構によってプレキャスト壁高欄部材の位置合わせを行うことができる。
【００２０】
上記構成において、前記位置調整ステップでは、前記プレキャスト壁高欄部材（１）の橋幅方向の位置、前記プレキャスト壁高欄部材の橋軸に平行な軸線回りの倒れ及び、前記プレキャスト壁高欄部材の橋軸に沿う通りの少なくとも１つを調整するとよい。
【００２１】
この構成によれば、プレキャスト壁高欄部材が仮固定されたプレキャスト床版を所定位置に架設した後に、プレキャスト壁高欄部材を適正な位置（橋幅方向の位置、倒れ又は通り）に合わせることができる。
【００２２】
上記構成において、プレキャスト壁高欄の接合方法は、前記受容孔（１６）に充填され且つ前記コンクリート部分（６）が接触するように、前記床版（２）又は前記地覆（４）の上面の高欄接合部分に未硬化の熱硬化性の樹脂材（１７）を配置する樹脂配置ステップを更に備え、前記本固定ステップでは、加熱手段（８Ｂ、３４、４１）によって前記樹脂材を加熱して前記樹脂材を硬化させることで、位置調整済みの前記プレキャスト壁高欄部材（１）を前記プレキャスト床版（３）に対して固定し、前記樹脂配置ステップを前記床版架設ステップの前に行うとよい。
【００２３】
この構成によれば、プレキャスト床版の架設前に、床版又は地覆の上面の高欄接合部分に未硬化の熱硬化性の樹脂材を配置するため、所定位置に架設されたプレキャスト床版上で行う作業がより少なくなる。これにより、プレキャスト床版の架設から交通開放までに要する時間を一層短縮することができる。なお、受容孔及び隙間に未硬化の熱硬化性の樹脂材が配置されるため、プレキャスト床版の架設前に樹脂材が配置されていても、プレキャスト床版の架設後にプレキャスト壁高欄部材の位置を調整することは可能である。また、樹脂材は加熱されるまで硬化しないため、一度に広い範囲を施工することができる。更に、加熱手段によって樹脂材を加熱することで樹脂材を硬化させることができるため、セメント系の結合材を用いる場合に比べて養生が短時間で済み、交通規制期間の更なる短縮が可能である。
【００２４】
上記構成において、前記本固定ステップでは、前記縦方向定着筋（９）に接触する鉄筋（８Ｂ）に電流を流すことで前記鉄筋及び前記縦方向定着筋を発熱させるとよい。
【００２５】
この構成によれば、鉄筋を利用して樹脂材を加熱することができるため、樹脂材を加熱するための専用の部材を設ける必要がなく、樹脂材を加熱するための準備作業が簡単である。
【００２６】
上記構成において、前記本固定ステップでは、前記縦方向定着筋（９）及び前記隙間（Ｇ）に沿って配設しておいた電熱線（４１）に電流を流すことで前記電熱線を発熱させるとよい。
【００２７】
この構成によれば、受容孔及び隙間に配置された樹脂材を電熱線によって確実に加熱することができる。
【発明の効果】
【００２８】
このように本発明によれば、壁高欄の位置合わせを行うことができ、且つ交通規制期間を短縮できるプレキャスト壁高欄の接合構造及び接合方法を提供することができる。
【図面の簡単な説明】
【００２９】
【図１】第１実施形態に係るプレキャスト壁高欄の接合構造の横断面図
【図２】図１中のII矢視図
【図３】第１実施形態に係るプレキャスト壁高欄の接合方法を示す断面図
【図４】第１実施形態に係るプレキャスト壁高欄の接合方法を示す断面図
【図５】第２実施形態に係るプレキャスト壁高欄の接合構造の横断面図
【発明を実施するための形態】
【００３０】
以下、図面を参照して、本発明の実施形態について詳細に説明する。
【００３１】
≪第１実施形態≫
まず、図１〜図４を参照して、本発明の第１実施形態について説明する。図１は第１実施形態に係るプレキャスト壁高欄の接合構造の横断面図である。図１に示されるように、橋梁に於けるプレキャスト壁高欄部材１は、床版２の橋軸に直交し、橋面に平行な方向（以下、幅方向という）の側端部に、地覆４を介して接合される。
【００３２】
床版２は、プレキャストコンクリート部材からなる複数のプレキャスト床版３を橋軸方向に敷き並べ、これらを互いに接合することによって構成される。各プレキャスト床版３は２〜３ｍ程度の橋軸方向長さとされており、プレキャスト工場において予め製作されて現場へ搬入される。地覆４は、工場二次製品であることが好ましい。地覆４は、プレキャスト床版３に埋設された接合鉄筋５の露出する部分を埋設するようにコンクリートを打設することによって形成される。地覆４はプレキャスト床版３の側端部から上方に突出するように形成される。他の実施形態では、地覆４がプレキャスト床版３と同時に一体に形成されてもよい。
【００３３】
以下、プレキャスト床版３と地覆４とが一体となったものをプレキャスト床版３と呼ぶ。なお、プレキャスト床版３は施工現場のヤードで製作されてもよい。また、プレキャスト床版３はプレストレストコンクリートであってもよく、鉄筋コンクリートであってもよい。
【００３４】
プレキャスト壁高欄部材１はプレキャスト床版３と概ね同一の橋軸方向長さとされている。プレキャスト壁高欄部材１は、地覆４の上方に隙間Ｇを空けて配置され、地覆４及び橋軸方向に隣接する他のプレキャスト壁高欄部材１と接合される。プレキャスト壁高欄部材１は、コンクリート部分６と、橋軸に直交する方向に延在する複数の縦方向鉄筋７と、橋軸方向に延在する複数の横方向鉄筋８（８Ａ、８Ｂ）とを有する。
【００３５】
複数の縦方向鉄筋７は、コンクリート部分６の下端から下方に突出する縦方向定着筋９（９Ａ、９Ｂ）を含んでいる。複数の縦方向定着筋９は、幅方向の外側に配置された複数の第１縦方向定着筋９Ａと、第１縦方向定着筋９Ａよりも幅方向の内側のコンクリート部分６から下方に突出する複数の第２縦方向定着筋９Ｂとを含んでいる。第１縦方向定着筋９Ａと第２縦方向定着筋９Ｂとは、橋軸方向に沿ってずれた位置に交互に配置されることが好ましい。
【００３６】
各第１縦方向定着筋９Ａは、全長にわたって鉛直方向に沿って延在する直線形状をしている。各第２縦方向定着筋９Ｂは、上部で湾曲しており、コンクリート部分６に埋設された部分において外側の側面、上面及び内側の側面に沿って第１縦方向定着筋９Ａを囲うように配置されている。プレキャスト壁高欄部材１のコンクリート部分６の下部には上方に開くコ字状の補強鉄筋１０を設けることが好ましい。補強鉄筋１０は、第２縦方向定着筋９Ｂの幅方向の内側部分と外側部分との下側を繋ぐように配置され、第２縦方向定着筋９Ｂと協働してコンクリート部分６の内部にループ形状の鉄筋を形成する。
【００３７】
縦方向定着筋９の下端には、機械式定着の定着具１１が設けられている。機械式定着の定着具１１とは、機械式定着において鉄筋に作用する引張力をコンクリートに伝達するために鉄筋端部に設けられる、鉄筋の延在方向に直交する断面において鉄筋本体よりも断面積の大きな板状又はこぶ状のものを意味する。定着具１１は、こぶ状のものであることが好ましく、図示されるように先端側が後端側よりも細い円錐台形状であることが更に好ましい。定着具１１は、鉄筋の延在方向に直交する断面において、後端側の断面積が鉄筋の中間部の断面積よりも大きい形状をしており、後端にて円形状に拡径する肩面を形成している。
【００３８】
各横方向鉄筋８は、橋軸方向に延在するように縦方向鉄筋７に沿って配置される。複数の横方向鉄筋８は、全体がプレキャスト壁高欄部材１のコンクリート部分６に埋設された複数の第１横方向鉄筋８Ａと、少なくとも一部がコンクリート部分６から露出する第２横方向鉄筋８Ｂとを含んでいる。本実施形態では、全体がコンクリート部分６から露出する２本の第２横方向鉄筋８Ｂが、第１縦方向定着筋９Ａ及び第２縦方向定着筋９Ｂのコンクリート部分６から露出する部分の上部に沿って配置されている。各第２横方向鉄筋８Ｂは、対応する複数の第１縦方向定着筋９Ａ又は複数の第２縦方向定着筋９Ｂに接触している。各第２横方向鉄筋８Ｂは、プレキャスト壁高欄部材１の製作時に配筋されてもよく、製作後に配筋されてもよい。
【００３９】
他の実施形態では、第２横方向鉄筋８Ｂがコンクリート部分６に埋設され、端部を露出させていてもよい。この場合、第２横方向鉄筋８Ｂはコンクリート部分６の内部で対応する複数の第１縦方向定着筋９Ａ又は複数の第２縦方向定着筋９Ｂに接触する。第２横方向鉄筋８Ｂが１本設けられる場合は、第２横方向鉄筋８Ｂの両端部がコンクリート部分６から露出するように配置される。第２横方向鉄筋８Ｂが複数本も受けられる場合は、コンクリート部分６の橋軸方向の両端面から少なくとも１本の第２横方向鉄筋８Ｂの端部が露出するように配置されればよい。
【００４０】
また、複数の横方向鉄筋８は、コンクリート部分６の橋軸方向の一方の端面から突出する複数の横方向定着筋を含んでいてもよい。複数の横方向定着筋は、隣接する他のプレキャスト壁高欄部材１との接合に利用される。複数の横方向定着筋は、例えば、第１縦方向定着筋９Ａに沿って並ぶように配置される。プレキャスト壁高欄部材１に複数の横方向定着筋が設けられる場合、プレキャスト壁高欄部材１のコンクリート部分６における他方の端面には、横方向定着筋を受容する孔又は鉛直方向の溝が設けられる。各横方向定着筋の突出側の端部には、縦方向定着筋９と同様の定着具１１が設けられるとよい。
【００４１】
地覆４の上面には、複数の縦方向定着筋９を受容するべく上方に開放された複数の受容孔１６が形成されている。各受容孔１６は、上下方向に延在し、地覆４の上面から下方に向かう有底孔である。各縦方向定着筋９の下端部は、未硬化の熱硬化性の樹脂材１７が充填された対応する受容孔１６に挿入され、樹脂材１７が加熱により硬化することによって受容孔１６を介して地覆４に定着される。受容孔１６は、箱抜き孔として形成されることが好ましく、その内面は、樹脂材１７の付着を高めるために螺旋状のねじが切ってあることが好ましい。また、１つの受容孔１６に１つの縦方向定着筋９の下端部が受容されることが好ましいが、受容孔１６が長孔とされ、１つの受容孔１６に複数の縦方向定着筋９の下端部が受容されてもよい。
【００４２】
樹脂材１７は、熱硬化性の樹脂のみからなってもよく、熱硬化性の樹脂に骨材や繊維補強材等を混入した樹脂モルタルであってもよい。熱硬化性の樹脂には、例えばエポキシ樹脂やフェノール樹脂、メラミン樹脂、不飽和ポリエステル樹脂（ビニルエステル樹脂）及び、これらの複合材料等を用いることができる。
【００４３】
地覆４の上面とコンクリート部分６の下面の間にも熱硬化性の樹脂材１７が配置される。樹脂材１７は、受容孔１６に充填されるように地覆４の上面、即ちプレキャスト床版３の高欄接合部分にコテを用いて概ね平坦に敷設（配置）される。この際、地覆４の上面の周縁に沿って樹脂材１７用の型枠が設けられてもよい。この状態で、クレーンで吊り上げられたプレキャスト壁高欄部材１が降下することで、複数の縦方向定着筋９が対応する受容孔１６に突入し、コンクリート部分６の下面が樹脂材１７に接触する。或いは、プレキャスト壁高欄部材１を降下させて所定の位置に配置した後に、地覆４とコンクリート部分６との隙間Ｇに樹脂材１７が注入によって充填されてもよい。
【００４４】
この状態ではプレキャスト壁高欄部材１は固定されず、荷重が樹脂材１７に加わると樹脂材１７が地覆４の上面から側方へ押し出される。そこで、プレキャスト床版３には、コンクリート部分６と地覆４との隙間Ｇを維持した状態でプレキャスト壁高欄部材１を支持する支持装置２０が取り付けられている。
【００４５】
支持装置２０は、プレキャスト壁高欄部材１の延在方向（橋軸方向）の一側（以下、前側と呼ぶ。）及び他側（以下、後側と呼ぶ。）に２対設けられる。各支持装置２０は、プレキャスト壁高欄部材１の幅方向の外側に設けられる外側支持ユニット２１と、プレキャスト壁高欄部材１の幅方向の内側に設けられる内側支持ユニット２２とによって構成される。外側支持ユニット２１と内側支持ユニット２２とは、地覆４やコンクリート部分６の形状に合わせた形状とされている点で異なり、その他の点では共通である。そのため、両者の共通部分には共通の符号を付し、以下では、両者を代表して外側支持ユニット２１について詳細に説明する。
【００４６】
図２は図１中のII矢視図である。図１及び図２に示されるように、外側支持ユニット２１は、地覆４に取り付けられる第１支持部材２３と、プレキャスト壁高欄部材１に取り付けられる第２支持部材２４と、第１支持部材２３と第２支持部材２４との間に設けられる位置調整機構２５とを備えている。第１支持部材２３は、地覆４に設けられたインサートナット２６にボルトによって固定される。第２支持部材２４は、プレキャスト壁高欄部材１に設けられたインサートナット２６にボルトによって固定される。第１支持部材２３は水平面又は橋面に平行な上フランジ２８を有し、第２支持部材２４は水平面又は橋面に平行な下フランジ２９を有している。
【００４７】
位置調整機構２５は、上フランジ２８上にスライド可能に設けられたスライダ３０と、幅方向に水平に進退可能に上フランジ２８に取り付けられた水平調整ボルト３１と、鉛直方向に進退可能に下フランジ２９に取り付けられた鉛直調整ボルト３２とを備えている。水平調整ボルト３１の先端及び鉛直調整ボルト３２の先端は、ボルト軸回りに回転可能にスライダ３０に連結されている。また位置調整機構２５は、上フランジ２８及び下フランジ２９を貫通し、ナットと協働して上フランジ２８及び下フランジ２９を上下に挟みこむ固定ボルト３３を備えている。
【００４８】
外側支持ユニット２１及び内側支持ユニット２２の水平調整ボルト３１を左右の一方に同じ向きに進退させることにより、プレキャスト壁高欄部材１が地覆４に対して幅方向に変位する。外側支持ユニット２１及び内側支持ユニット２２の鉛直調整ボルト３２を上下の一方に同じ向きに進退させることにより、プレキャスト壁高欄部材１が地覆４に対して上下方向に変位する。また、外側支持ユニット２１及び内側支持ユニット２２の鉛直調整ボルト３２を上下の一方に逆向きに進退させることにより、プレキャスト壁高欄部材１の橋軸に平行な軸線回りの倒れが変化する。一方、前側の支持装置２０の外側及び内側の水平調整ボルト３１を左右の一方に同じ向きに進退させ、後側の支持装置２０の外側及び内側の水平調整ボルト３１を左右の他方に同じ向きに進退させることにより、プレキャスト壁高欄部材１の橋軸に沿う通りが変化する。
【００４９】
プレキャスト壁高欄部材１は、このように構成された支持装置２０により、縦方向定着筋９が受容孔１６に突入し且つコンクリート部分６が地覆４との間に隙間Ｇを形成した状態で地覆４上に位置調整可能に支持（仮固定）される。
【００５０】
したがって、プレキャスト床版３を所定位置に架設する前に、支持装置２０によってプレキャスト壁高欄部材１をプレキャスト床版３に仮固定することが可能である。これにより、所定位置に架設されたプレキャスト床版３上で行う作業が少なくなるため、プレキャスト床版３の架設から交通開放までに要する時間が短縮される。また、支持装置２０が位置調整機構２５を有するため、プレキャスト床版３を所定位置に架設した後に、位置調整機構２５によってプレキャスト壁高欄部材１の位置合わせを行うことができる。
【００５１】
本実施形態の位置調整機構２５は、プレキャスト壁高欄部材１の橋幅方向の位置、プレキャスト壁高欄部材１の橋軸に平行な軸線回りの倒れ及び、プレキャスト壁高欄部材１の橋軸に沿う通りを位置調整可能である。但し、位置調整機構２５は、これらの少なくとも１つを調整可能であればよい。この構成により、プレキャスト床版３を所定位置に架設した後に、樹脂材１７を配置した状態で、プレキャスト壁高欄部材１を適正な位置（橋幅方向の位置、倒れ又は通り）に合わせることができる。
【００５２】
そして、受容孔１６及び隙間Ｇには未硬化の熱硬化性の樹脂材１７が配置され、樹脂材１７は加熱手段によって加熱される。本実施形態では、縦方向定着筋９に接触する第２横方向鉄筋８Ｂと、第２横方向鉄筋８Ｂの両端にコネクタによって接続されたケーブルに電流を流す電源３４（図４）とによって加熱手段が構成される。電源３４が第２横方向鉄筋８Ｂに電流を流すことにより、電気抵抗によって第２横方向鉄筋８Ｂが発熱する。また、縦方向定着筋９が電気抵抗によって発熱し、或いは熱伝導によって加熱される。これにより、樹脂材１７が加熱されて硬化する。
【００５３】
したがって、プレキャスト床版３の架設前に未硬化の熱硬化性の樹脂材１７を受容孔１６及び隙間Ｇに配置しておくことができる。これにより、所定位置に架設されたプレキャスト床版３上で行う作業がより少なくなるため、プレキャスト床版３の架設から交通開放までに要する時間の一層の短縮が可能である。なお、受容孔１６及び隙間Ｇに未硬化の熱硬化性の樹脂材１７が配置されるため、プレキャスト床版３の架設前に樹脂材１７が配置されていても、プレキャスト床版３の架設後にプレキャスト壁高欄部材１の位置を調整することは可能である。また、樹脂材１７は加熱されるまで硬化しないため、一度に広い範囲を施工することができる。更に、加熱手段によって樹脂材１７を加熱することで樹脂材１７を硬化させることができるため、セメント系の結合材を用いる場合に比べて養生が短時間で済み、交通規制期間の短縮が可能である。
【００５４】
また本実施形態では、第２横方向鉄筋８Ｂを利用して樹脂材１７を加熱することができるため、加熱手段の構成が簡単である。
【００５５】
次に、図３及び図４を参照して、第１実施形態に係るプレキャスト壁高欄の接合構造の施工手順を説明する。図３及び図４は、橋軸に直交する断面視において、施工手順を示している。
【００５６】
まず、図３（Ａ）に示すようにプレキャスト部材としてプレキャスト床版３及びプレキャスト壁高欄部材１が製造（用意）される。地覆４は、工場二次製品としてプレキャスト床版３に結合するように一体に形成される。プレキャスト床版３及びプレキャスト壁高欄部材１は、施工現場に搬送される。
【００５７】
次に、図３（Ｂ）に示される樹脂配置ステップ及び仮固定ステップが行われる。即ち、図３（Ｂ）に示されるように、施工現場の架設位置の近傍にて、プレキャスト壁高欄部材１をプレキャスト床版３の所定の位置に仮固定し、図１に示す状態にする。具体的には、樹脂配置ステップでは、地覆４の上面から下方に向かって形成された受容孔１６に充填されるように、地覆４の上面の高欄接合部分に未硬化の熱硬化性の樹脂材１７を配置する。この際、地覆４の上面の周縁に沿って樹脂材１７用の型枠を設けてもよい。仮固定ステップでは、縦方向定着筋９が受容孔１６に突入し且つコンクリート部分６が樹脂材１７に接触するように、プレキャスト壁高欄部材１を地覆４上に配置し、地覆４に取り付けた支持装置２０を用いてプレキャスト壁高欄部材１を仮固定する。樹脂配置ステップ及び仮固定ステップはどちらが先に行われてもよい。
【００５８】
次に、図３（Ｃ）に示される床版架設ステップが行われる。具体的には、プレキャスト壁高欄部材１が仮固定されたプレキャスト床版３をクレーンで吊り上げて橋桁上の所定の架設位置（以下、単に所定位置という）に架設する。
【００５９】
次に、図４（Ｄ）に示される位置調整ステップが行われる。位置調整ステップでは、所定位置において、支持装置２０に設けられた位置調整機構２５を操作して、仮固定されたプレキャスト壁高欄部材１のプレキャスト床版３に対する位置を調整する。具体的には、プレキャスト壁高欄部材１の橋幅方向の位置、プレキャスト壁高欄部材１の橋軸に平行な軸線回りの倒れ及び、プレキャスト壁高欄部材１の橋軸に沿う通りの少なくとも１つを調整する。
【００６０】
これにより、プレキャスト床版３を所定位置に架設した際にプレキャスト壁高欄部材１の位置が適正な位置からずれていても、プレキャスト壁高欄部材１を適正な位置（橋幅方向の位置、倒れ又は通り）に合わせることができる。即ち、プレキャスト床版３を所定位置に架設した後に、樹脂材１７が配置された状態で、プレキャスト壁高欄部材１の位置調整が可能になっている。
【００６１】
次に、図４（Ｅ）に示される本固定ステップが行われる。本固定ステップでは、加熱手段によって樹脂材１７を加熱して樹脂材１７を硬化させ、位置調整済みのプレキャスト壁高欄部材１をプレキャスト床版３に対して固定する。具体的には、床版２上に準備された電源３４の接続されたケーブルをコネクタによって第２横方向鉄筋８Ｂの両端に接続し、電源３４を操作して、縦方向定着筋９に接触する第２横方向鉄筋８Ｂに電流を流す。これにより、第２横方向鉄筋８Ｂ及び縦方向定着筋９が発熱し、樹脂材１７を加熱する。なお、橋軸方向に沿って互いに隣接するプレキャスト床版３同士やプレキャスト壁高欄部材１同士は、公知の適宜な方法によって互いに接合される。
【００６２】
本実施形態では、縦方向定着筋９に接触する第２横方向鉄筋８Ｂに電流を流すことで第２横方向鉄筋８Ｂ及び縦方向定着筋９を発熱させるため、樹脂材１７を加熱するための専用の部材を設ける必要がなく、樹脂材１７を加熱するための準備作業が簡単である。
【００６３】
最後に、図４（Ｆ）に示される支持装置撤去ステップが行われる。支持装置撤去ステップでは、樹脂材１７の硬化によってプレキャスト壁高欄部材１がプレキャスト床版３に固定された後に、支持装置２０を撤去する。これにより、プレキャスト壁高欄部材１の接合作業が完了する。
【００６４】
このように図３（Ｃ）に示される床版架設ステップの前に、図３（Ｂ）に示される仮固定ステップが行われるため、所定位置に架設されたプレキャスト床版３上で行う作業（図４（Ｄ）以降の作業）が少なくなる。これにより、プレキャスト床版３の架設から交通開放までに要する時間が短縮される。また、プレキャスト床版３を所定位置に架設した後に、図４（Ｄ）に示される位置調整ステップにて、位置調整機構２５によってプレキャスト壁高欄部材１の位置合わせを行うことができる。
【００６５】
また本実施形態では、図３（Ｃ）の床版架設ステップの前に、図３（Ｂ）の樹脂配置ステップにおいて、受容孔１６に充填され且つコンクリート部分６が接触するように、床版２又は地覆４の上面の高欄接合部分に未硬化の熱硬化性の樹脂材１７を配置する。そのため、所定位置に架設されたプレキャスト床版３上で行う作業（図４（Ｄ）以降の作業）がより少なくなる。これにより、プレキャスト床版３の架設から交通開放までに要する時間が一層短縮される。なお、受容孔１６及び隙間Ｇには未硬化の熱硬化性の樹脂材１７が配置されるため、プレキャスト床版３の架設前に樹脂材１７が配置されていても、図４（Ｄ）の位置調整ステップにて、プレキャスト壁高欄部材１の位置を調整することは可能にある。また、樹脂材１７は加熱されるまで硬化しないため、一度に広い範囲（複数のスパン）を施工してもよい。更に、加熱手段によって樹脂材１７を加熱することで樹脂材１７を硬化させることができるため、セメント系の結合材を用いる場合に比べて養生が短時間で済み、交通規制期間の短縮が可能である。
【００６６】
≪第２実施形態≫
次に、図５を参照して、本発明の第２実施形態について説明する。なお、なお、支持装置２０は第１実施形態と同一であるため、図示及び説明を省略する。また、第１実施形態と同一又は類似する部材には同一の符号を付し、重複する説明は省略する。プレキャスト壁高欄部材１の接合方法についても、第１実施形態と異なる点のみを説明する。
【００６７】
図５は第２実施形態に係るプレキャスト壁高欄部材１の接合構造の横断面図である。図５に示されるように、本実施形態では樹脂材１７を加熱するための加熱手段が第１実施形態と異なっている。以下、具体的に説明する。本実施形態では、第２横方向鉄筋８Ｂが設けられる代わりに、地覆４とコンクリート部分６との隙間Ｇ及び縦方向定着筋９の露出する下部の周りに（受容孔１６の内部に）電熱線４１が設けられている。電熱線４１は、電気抵抗によるジュール熱によって発熱する発熱用電線であり、例えば、ニッケルクロム線（ニクロム線）や鉄クロム線によって構成される。
【００６８】
電熱線４１は、縦方向定着筋９及び隙間Ｇに沿って配設されており、両端部が外部に引き出されている。電熱線４１は、１つのプレキャスト壁高欄部材１に対して１本設けられるのが好ましいが、複数本設けられてもよい。電熱線４１とこの電熱線４１に電流を流す電源３４（図４）とによって加熱手段が構成される。図４（Ｅ）の本固定ステップでは、電源３４が電熱線４１に電流を流すことにより、電気抵抗によって電熱線４１が発熱する。また、縦方向定着筋９が電気抵抗によって発熱する或いは熱伝導によって加熱される。これにより、樹脂材１７が加熱されて硬化する。本実施形態では、受容孔１６及び隙間Ｇに配置された樹脂材１７を電熱線４１によって確実に加熱することができる。
【００６９】
以上で具体的実施形態の説明を終えるが、本発明は上記実施形態に限定されることなく幅広く変形実施することができる。例えば、上記実施形態では、加熱手段として、電源３４からの通電によって発熱する第２横方向鉄筋８Ｂや電熱線４１を用いたが、外部から樹脂材１７に熱を加えてもよく、電磁誘導加熱によって樹脂材１７に熱を加えてもよい。また、各部材や部位の具体的構成や配置、数量、素材、作業手順など、本発明の趣旨を逸脱しない範囲であれば適宜変更可能である。また、上記の実施形態は適宜組み合わせることができる。一方、上記実施形態に示した各構成要素は必ずしも全てが必須ではなく、適宜選択することができる。
【符号の説明】
【００７０】
１      プレキャスト壁高欄部材
２      床版
３      プレキャスト床版
４      地覆
６      コンクリート部分
７      縦方向鉄筋
８      横方向鉄筋
８Ａ    第１横方向鉄筋
８Ｂ    第２横方向鉄筋（加熱手段）
９      縦方向定着筋
９Ａ    第１縦方向定着筋
９Ｂ    第２縦方向定着筋
１１    定着具
１６    受容孔
１７    樹脂材
２０    支持装置
２１    外側支持ユニット
２２    内側支持ユニット
２３    第１支持部材
２４    第２支持部材
２５    位置調整機構
３４    電源（加熱手段）
４１    電熱線（加熱手段）
Ｇ      隙間
【図１】
2020176406.tif 000003
【図２】
2020176406.tif 000004
【図３】
2020176406.tif 000005
【図４】
2020176406.tif 000006
【図５】
2020176406.tif 000007